(57)【要約】【課題】高倍率でありながら、高性能なファインダー系を提供することである。【解決手段】撮影レンズにより所定面に形成した物体像を正立像形成部材を介して接眼レンズで観察するファインダーにおいて、  前記正立像形成部材は、屋根型形状の第１の反射鏡と回転非対称な第２の反射鏡から構成され、  前記接眼レンズは負の屈折力の第１レンズ群と、  視度調節により移動する正の屈折力の第２レンズ群と、  正もしくは負の屈折力の第３レンズ群と、を有し  前記回転非対称な第２の反射鏡は１つの面を対称面とする面対称な形状よりなり、  前記負の屈折力の第１レンズは、少なくとも１面の回転非対称な偏芯面を有しており、  所定の条件式を満足することを特徴とするファインダー光学系【選択図】  図１
2014041199.tif 000002
【特許請求の範囲】
【請求項１】
撮影レンズにより所定面に形成した物体像を正立像形成部材を介して接眼レンズで観察するファインダーにおいて、
前記正立像形成部材は、屋根型形状の第１の反射鏡と回転非対称な第２の反射鏡から構成され、
前記接眼レンズは負の屈折力の第１レンズ群と、
視度調節により移動する正の屈折力の第２レンズ群と、
正もしくは負の屈折力の第３レンズ群と、を有し
前記回転非対称な第２の反射鏡は１つの面を対称面とする面対称な形状よりなり、
前記負の屈折力の第１レンズは、少なくとも１面の回転非対称な偏芯面を有しており、
下記の条件式を満足することを特徴とするファインダー光学系。
０＜φｙ／φ＜０．００１  ・・・（１）
０＜φｚ／φ＜０．００１  ・・・（２）
１．２＜ｄ／ｆ＜１．４  ・・・（３）
−１２＜ｆ３／ｆ＜−２  ・・・（４）
ここで、φｙは前記第２の反射鏡の対称面内のベースＲのパワー＋ｙ方向の２次の係数
φｚは前記第２の反射鏡の対称面と垂直な面内のベースＲのパワー＋ｚ方向の２次の係数
ｄは前記所定面から接眼レンズ第１群の最も所定面側の面までの距離
ｆは全系の焦点距離
ｆ３は前記３群の焦点距離
φは１／ｆを表す。
【請求項２】
前記正もしくは負の屈折力の第３レンズ群は正、負各１枚づつのレンズから構成されることを特徴とする請求項１に記載のファインダー光学系。
【発明の詳細な説明】
【技術分野】
【０００１】
本発明は、ファインダー光学系に関し、特に一眼レフカメラ等に好適なファインダー光学系に関するものである。
【背景技術】
【０００２】
従来より一眼レフカメラのファインダー光学系では撮影レンズによる被写体像を焦点板上に形成し、該焦点板上の被写体をペンタプリズム等を介して正立像とした後、接眼レンズによって拡大して観察するように構成している。
【０００３】
このようなファインダー光学系に用いられる接眼レンズとしては、高い倍率と十分なアイレリーフの確保、視度調節機能、高い光学性能が求められている。
【０００４】
一方、カメラの軽量化、コストダウンのためペンタプリズムの替りに反射鏡を組み合わせた所謂ペンタダハミラーを用いたファインダー光学系が用いられている。
【０００５】
該ペンタダハミラーを用いたファインダー光学系ではペンタプリズムを用いたファインダー光学系に比べ空気換算光路長が長くなってしまい観察倍率を大きくすることが困難であった。
【０００６】
また、ペンタダハミラーを用いたファインダー光学系として、ペンタダハミラーを構成する反射鏡の一部に集光するパワーを持たせることで高いファインダー倍率を得るファインダーが従来より提案されている。
【０００７】
例えば、特許文献１、特許文献２ではペンタダハミラーの第３反射面に集光性のパワーを持たせると同時に接眼レンズの最もペンタダハミラー側のレンズに回転非対称面を設ける構成が開示されている。  
【先行技術文献】
【特許文献】
【０００８】
【特許文献１】特開２００８−０１５４７５号公報
【特許文献２】特開２００８−０５８９０８号公報
【発明の概要】
【発明が解決しようとする課題】
【０００９】
しかしながら、上述の特許文献に開示された従来技術では、ペンタダハミラーに設けた集光性のパワーが強く、最もペンタダハミラー側のレンズに回転非対称面を設けたとしても、非対称性の収差が多く残存してしまう。
【００１０】
そこで、本発明の目的は、高倍率でありながら、高性能なファインダー系を提供することである。
【課題を解決するための手段】
【００１１】
上記目的を達成するために、本発明は、
撮影レンズにより所定面に形成した物体像を正立像形成部材を介して接眼レンズで観察するファインダーにおいて、
前記正立像形成部材は、屋根型形状の第１の反射鏡と回転非対称な第２の反射鏡から構成され、
前記接眼レンズは負の屈折力の第１レンズ群と、
視度調節により移動する正の屈折力の第２レンズ群と、
正もしくは負の屈折力の第３レンズ群と、を有し
前記回転非対称な第２の反射鏡は１つの面を対称面とする面対称な形状よりなり、
前記負の屈折力の第１レンズは、少なくとも１面の回転非対称な偏芯面を有しており、
下記の条件式を満足することを特徴とするファインダー光学系。
【００１２】
０＜φｙ／φ＜０．００１  ・・・（１）
０＜φｚ／φ＜０．００１  ・・・（２）
１．２＜ｄ／ｆ＜１．４  ・・・（３）
−１２＜ｆ３／ｆ＜−２  ・・・（４）
ここで、φｙは前記第２の反射鏡の対称面内のベースＲのパワー＋ｙ方向の２次の係数
φｚは前記第２の反射鏡の対称面と垂直な面内のベースＲのパワー＋ｚ方向の２次の係数
ｄは前記所定面から接眼レンズ第１群の最も所定面側の面までの距離
ｆは全系の焦点距離
ｆ３は前記３群の焦点距離
φは１／ｆを表す。
【発明の効果】
【００１３】
本発明によれば高倍率でありながら、高性能なファインダー系を提供することができる。
【図面の簡単な説明】
【００１４】
【図１】本発明のファインダー光学系の要部断面図である。
【図２】本発明のファインダー光学系のピント板上の性能評価位置を説明する図である。
【図３】本発明の数値実施例１の光路図である。
【図４】本発明の数値実施例１の収差図である。
【図５】本発明の数値実施例２の光路図である。
【図６】本発明の数値実施例２の収差図である。
【図７】本発明の数値実施例３の光路図である。
【図８】本発明の数値実施例３の収差図である。
【図９】本発明の数値実施例４の光路図である。
【図１０】本発明の数値実施例４の収差図である。
【図１１】本発明の数値実施例５の光路図である。
【図１２】本発明の数値実施例５の収差図である。
【発明を実施するための形態】
【００１５】
以下に、本発明の好ましい実施の形態を、添付の図面に基づいて詳細に説明する。
【００１６】
図１は本発明のファインダー光学系を一眼レフカメラに適用したときの要部断面図である。図３、図４は本発明の数値実施例１の光学要素の光路図と収差図である。図５，図６は本発明の数値実施例２の光学要素の光路を展開した光路図と収差図である。図７，図８は本発明の数値実施例３の光学要素の光路を展開した光路図と収差図である。図９，図１０は本発明の数値実施例４の光学要素の光路を展開した光路図と収差図である。図１１，図１２は本発明の数値実施例５の光学要素の光路を展開した光路図と収差図である。
【００１７】
光路図と収差図においてはファインダー視度が−１ディオプトリー（標準視度）のときを示している。
【００１８】
光路図と収差図においてはアイポイントの位置に焦点距離約３２ｍｍの理想レンズを配置して、結像させた状態で表しており表示している波長はｄ線のものである。
収差図においては図２に示した焦点板上での各座標におけるＹ断面、Ｘ断面での横収差を表しており縦軸の単位はｍｍ、横軸はファインダー系の入射瞳位置での光線高さを表している。
【００１９】
図１において、１は撮影レンズ、２はクイックリターンミラー、３は焦点板（フレネルレンズ）４は焦点板（マット面）であり、撮影レンズ１による物体像が形成されている。      
【００２０】
５は正立像形成部材としてのペンタダハミラーを構成する屋根型形状の第１、第２の反射鏡である。６は該第１、第２の反射鏡で物体側に反射された光を観察者の方向に向かわせる為の第３の反射鏡であり、５、６の反射により焦点板４上の物体像を正立正像としている。７は接眼レンズを兼ねているファインダー光学系である。８はアイポイントの位置を表している。
【００２１】
本実施形態におけるファインダー光学系は撮影レンズ１による被写体像をクイックリターンミラー２で反射させて焦点板４上に形成している。そして焦点板４に形成したファインダー像をペンタダハミラー５、６で正立像として接眼レンズ７を介してアイポイント８より観察している。
【００２２】
本発明に係る第３の反射鏡６は回転非対称な偏芯反射面である。また、接眼レンズ７は該反射鏡６側から順に負の屈折力の第１レンズ７ａ、正の屈折力の第２レンズ７ｂ、負の屈折力の第３レンズ群７ｃからなっており、前記負の屈折力の第１レンズ７ａに回転非対称な偏芯面を設けている。また、前記正の屈折力の第２レンズ７ｂを接眼レンズの光軸に沿って移動することで視度調節を行っている。
【００２３】
本発明では、前記第３の反射鏡６を回転非対称な偏芯反射面として、適切な集光性のパワーを持たせることで、ファインダー倍率を大きくしながらも、偏芯収差の発生を低減している。
【００２４】
０＜φｙ／φ＜０．００１  ・・・（１）
０＜φｚ／φ＜０．００１  ・・・（２）
ここでφｙは前記第２の反射鏡の対称面内のベースＲのパワー＋ｙ方向の２次の係数
φｚは前記第２の反射鏡の対称面と垂直な面内のベースＲのパワー＋ｚ方向の２次の係数
条件式（１）、（２）は前記第３の反射鏡６のパワーを規定するものである。条件式の下限を超えると、集光性のパワーが失われる為、高倍率化に不利になる。一方、上限を超えると集光性のパワーが強くなりすぎる為、偏芯収差の補正が困難になり像性能が劣化してしまう。
【００２５】
さらに、前記負の屈折力の第１レンズ７ａに回転非対称な偏芯面を設けることで前記第３の反射鏡６での残存偏芯収差を良好に補正し、且つ該第１レンズ７ａを射出した後の光束を共軸系に戻している。これにより、前記正の屈折力の第２レンズ７ｂを接眼レンズの光軸に沿って移動させることで高い光学性能を保ったまま視度調節が可能となる。
【００２６】
一般にペンタダハミラーを用いたファインダー光学系においてファインダーを高倍率化するためには、ペンタダハミラーの光路長を短くすると共に、接眼レンズのピント板側の主点をよりピント板側に移動させる必要がある。しかしながら、ペンタダハミラーの光路長を短くしすぎると、ペンタダハミラー出口の大きさが小さくなってしまい、アイポイントが短くなってしまう。そこで、アイポイントを確保しつつ、高倍率化を図る為には大型のペンタダハミラーを用いつつ、接眼レンズのピント板側の主点位置をピント板側に近づけるように、接眼レンズ系を構成する必要がある。ここで、接眼レンズのピント板側の主点位置をよりピント板側に移動させる為には、接眼レンズ系をピント板側から順に正、負の構成とすることが望ましく、負の屈折力を強くすることで、主点位置をよりピント板側に移動させることが可能となる。しかしながら、接眼レンズ系全系として必要なパワーは観察者に対してピント板をおよそ−１ＤＰＴＲ付近にするパワーで規定される為、負の屈折力を強くするとともに、正の屈折力も同時に強くしなければならず、高倍率化と高性能化の両立が困難となる。また、正と負のレンズ群間隔を広げることで主点位置をピント板側に移動させることも考えられるが、この方法ではアイポイントが短くなってしまうという問題が生じる。
【００２７】
また、視度調節可能な構成を採用しようとした場合、ペンタダハミラー側から負、正のレンズ構成とすることで、倍率を変化を抑えつつ視度調節が可能となる。しかしながら、最もペンタダハミラー側のレンズが負のパワーを有する為、接眼レンズ系の主点位置をピント板側に移動させることが困難となる。
【００２８】
本発明では、ペンタダハミラーの第３反射面に集光性のパワーを持たせることで、前記正群の主点位置を負群から離す効果を持たせている。これにより、接眼レンズ系全系の主点位置がピント板側に移動する。また、第３反射面に正のパワーを持たせていることから、接眼レンズ系として必要なパワーは、緩くなる。そのため、接眼レンズ系の正のパワーは緩くて済み、負群のパワーを強くすることなく、容易に主点位置をピント板側に移動させることが可能となる。これによって高倍率化と高性能化を両立させることが可能となる。
【００２９】
また、ペンタダハミラーの第３反射面に設ける集光性のパワーは、発生する偏芯収差が十分に抑えられる範囲で設定している。
【００３０】
条件式（３）は前記所定面から接眼レンズ第１群の最も所定面側の面までの距離と全系の焦点距離の関係を規定するものである。下限を超えるとペンタダハミラーの光路長が短くなり、ペンタダハミラー出口の開口が小さくなる為、アイポイントが短くなる。また、全系の焦点距離がながくなった場合には倍率が低下してしまう。
【００３１】
上限を超えると、ペンタダハミラーの光路長が長くなりすぎた場合には倍率が低下し、全系の焦点距離が短くなりすぎた場合には、収差補正が困難となる。
【００３２】
条件式（４）は前記３群の焦点距離と、全系の焦点距離との関係を規定するものであり、上限を超えると、３群の焦点距離が長くなりすぎる為、接眼レンズ系の主点位置をピント板側に移動させることが困難となり、高倍率化が困難となる。下限を超えると、３群の焦点距離が短くなりすぎる為、高倍率化には有利であるが、収差補正が困難となる。
【００３３】
以下に、本発明の実施の形態を添付の図面に基づいて詳細に説明する。
【００３４】
本発明の実施形態の光学系では、光学系全系にわたって共通の光軸を持っていない。そこで、本発明の実施形態においては前記撮影レンズ１の光軸が、前記クイックリターンミラー２により折り曲げられた軸と前記焦点板４（マット面）との交点を原点とする絶対座標系を設定する。そして、本発明の実施形態では絶対座標系の各軸を以下のように定める。
Ｙ軸：原点を通り、正の屈折力の第２レンズの面頂点を結ぶ直線に平行で、第２レンズから第３レンズに向かう方向をプラス方向とする。
Ｚ軸：原点を通り、Ｙ軸に対して紙面内で時計回りに９０°をなす直線。
Ｘ軸：原点を通り、Ｚ、Ｙ各軸に垂直な直線（紙面に垂直な直線）。
【００３５】
また、光学系を構成する第ｉ番目の面形状を表すには、第ｉ面のローカル座標系を設定して、ローカル座標系でその面の形状を表記する。
【００３６】
また、第ｉ面のＹＺ面内でのチルト角は絶対座標系のＺ軸に対して反時計回り方向を正とした角度θｉ（単位°）で表す。よって、本発明の実施形態では、各面のローカル座標の原点はＹＺ平面状にあり、ＸＺおよびＸＹ面内での面のチルト、シフトはない。
【００３７】
さらに、第ｉ面のローカル座標（ｘ、ｙ、ｚ）のｙ、ｚ、軸は絶対座標系（Ｘ、Ｙ、Ｚ）に対してＹＺ平面内で角度θｉ傾いており、具体的には以下のように設定する。
ｚ軸：ローカル座標の原点を通り、絶対座標系のＺ方向に対しＹＺ面内において反時計回り方向に角度θｉをなす直線。
ｙ軸：ローカル座標の原点を通り、ｚ方向に対しＹＺ面内において反時計回りに９０°をなす直線。
ｘ軸：ローカル座標の原点を通り、ＹＺ面に対し垂直な直線。
【００３８】
また、Ｎｄｉ、νｄｉはそれぞれ第ｉ面と第（ｉ＋１）面間の媒質の屈折率とアッベ数である。尚、絞りやアイポイントも１つの平面として表示している。
【００３９】
本発明の実施形態は、球面、回転対称な非球面及び回転非対称の非球面を有している。そのうちの球面部分は球面形状としてその曲率半径Ｒｉを記している。曲率半径の符号は、前記Ｙ軸に沿って曲率中心がＹ軸のプラス側にある場合をプラス、Ｙ軸のマイナス側にある場合をマイナスとする。
ここで、球面は以下の式で表される形状である。
ｚ＝｛（ｘ２＋ｙ２）／Ｒｉ｝／〔１＋｛１−（ｘ２＋ｙ２）／Ｒｉ２｝１／２〕
また、回転対称な非球面は以下の式で表される形状である。
ｚ＝｛（ｘ２＋ｙ２）／Ｒｉ｝／〔１＋｛１−（１＋ｋ）・（ｘ２＋ｙ２）／Ｒｉ２｝１／２〕＋ｋａ（ｘ２＋ｙ２）２＋ｋｂ（ｘ２＋ｙ２）３＋ｋｃ（ｘ２＋ｙ２）６＋…
また、回転非対称な非球面の形状はベースＲは全て０とし、以下の式により表す。
ｚ＝Ｃ０１ｙ＋Ｃ０２ｙ２＋Ｃ１１ｘｙ＋Ｃ２０ｘ２＋Ｃ０３ｙ３＋Ｃ１２ｘｙ２＋Ｃ２１ｘ２ｙ＋Ｃ３０ｘ３＋Ｃ０４ｙ４＋Ｃ１３ｘｙ３＋Ｃ２２ｘ２ｙ２＋Ｃ３１ｘ３ｙ＋Ｃ４０ｘ４・・・・
なお、本発明の数値実施例中の回転非対称な各面の形状は、上記曲面式において、ｘに関する偶数次の項のみを使用して奇数次の項を０とすることにより、ｙｚ面を対称面とする面対称な形状である。さらに以下の条件が満たされる場合はｘｚ面に対して対称な形状を表す。Ｃ０３＝Ｃ２１＝０
さらに、Ｃ０２＝Ｃ２０Ｃ０４＝Ｃ４０＝Ｃ２２／２が満たされる場合は回転対称な形状を表す。以上の条件を満たさない場合は非回転対称な形状である。
【００４０】
［実施例１］
i         Yi        Zi      θi    Ndi        νdi
1      0.00000   0.00000    0.0    1                       焦点板マット面
2      0.00000  28.06630   17.7    1                       反射面
3    -12.56841  10.38082   62.7    1                       反射面
4     11.48799  10.38082   90.0    1                       絞り面
5     12.05102  10.38082   90.0    1.6490     21.0         第1レンズ
6     13.75102  10.38082   90.0    1
7   ※15.89308  10.38082   90.0    1.5311     56.2         第2レンズ
8   ※20.05783  10.38082   90.0    1
9     22.43966  10.38082   90.0    1.5311     56.2         第3レンズ
10    27.33912  10.38082   90.0    1
11    32.28624  10.38082   90.0    1.49171    57.4         第4レンズ
12    33.98624  10.38082   90.0    1
13    53.48624  10.38082   90.0    1                       アイポイント
14  ※86.10902  10.38082   90.0    1                       像面
※印は視度調節時に位置が変化する
視度調節時の位置(Yi)は以下の通り
i  -1ディオプトリー    +1ディオプトリー    -3ディオプトリー
7    15.89308              17.77495             14.25108
8    20.05783              21.93970             18.41583
9    86.10902              88.10902             84.10902
球面形状
R8面  R=-31.90080
R10面  R=1003.86764
R12面 R=13.27457
回転対称非球面
R6 面 R=51.51228   K=-41.42754   Ka=2.861571e-5   Kb=-4.122330e-7
Kc=1.748090e-9   Kd=-2.257635e-12
R7 面 R=46.07154   K=5.388782   Ka=-1.336827e-5   Kb=1.316339e-8
Kc=-1.884718e-10   Kd=1.892640e-15
R9 面 R=17.75651   K=-1.969683   Ka=3.144581e-5   Kb=5.190261e-8
Kc=-5.069083e-10   Kd=1.752315e-12
R11 面 R=-39.89315   K=2.721407   Ka=5.066130e-5   Kb=-3.926671e-7
Kc=5.589691e-9   Kd=-2.730387e-11
回転非対称非球面
R3 面          C20=2.499986e-4  C02=2.11491e-4  C21=4.36638e-6  C03=3.159629e-6
C40=0  C22=-2.1913e-6  C04=-5.094226e-7  C41=4.633471e-8
C23=-6.035071e-8  C05=2.383366e-9  C60=-2.211769e-8
C42=5.290269e-9  C24=1.609022e-8  C06=1.299401e-9  
C61=-3.750002e-10  C43=-1.090159e-10  C25=5.367228e-10
C07=2.055298e-10  C80=2.56922e-10  C62=1.797317e-10
C44=4.553647e-11  C26=-4.309232e-11  C08=-3.112673e-12
C81=4.798918e-13  C63=2.100641e-12  C45=-5.894137e-13
C27=-2.187174e-12  C09=-2.07922e-12
C100=-8.887598e-13  C82=-8.861289e-13  C64=-1.059602e-12
C46=-3.790372e-13  C28=8.150442e-14  C010=9.511786e-14
R5 面          C01=1.818413e-2  C20=-4.631338e-5  C02=-1.482144e-5
C21=-1.187555e-5  C03=-9.495858e-6  C40=1.448025e-6
C22=2.121056e-6  C04=0  C41=-1.465048e-9  C23=2.378872e-7
C05=-1.903986e-8  C60=-2.852351e-7  C42=-8.364676e-7 
C24=-8.413298e-7  C06=-2.698802e-7  C61=2.607987e-10
C43=-8.952515e-10  C25=-1.171324e-9  C07=3.950818e-10
C80=1.032512e-9  C62=3.954987e-9  C44=6.102122e-9
C26=4.025803e-9  C08=9.554010e-10
［実施例２］
i         Yi        Zi      θi    Ndi        νdi
1      0.00000   0.00000    0.0    1                       焦点板マット面
2      0.00000  28.06630   17.7    1                       反射面
3    -12.56841  10.38082   62.7    1                       反射面
4     11.48799  10.38082   90.0    1                       絞り面
5     12.04544  10.38082   90.0    1.6490     21.0         第1レンズ
6     13.74544  10.38082   90.0    1
7   ※15.86322  10.38082   90.0    1.5311     56.2         第2レンズ
8   ※20.01858  10.38082   90.0    1
9     22.66996  10.38082   90.0    1.5311     56.2         第3レンズ
10    27.32216  10.38082   90.0    1
11    32.28777  10.38082   90.0    1.49171    57.4         第4レンズ
12    33.98777  10.38082   90.0    1
13    53.48777  10.38082   90.0    1                       アイポイント
14  ※86.11055  10.38082   90.0    1                       像面
※印は視度調節時に位置が変化する
視度調節時の位置(Yi)は以下の通り
i  -1ディオプトリー    +1ディオプトリー    -3ディオプトリー
7    15.86322              17.72425             14.24549
8    20.01858              21.87961             18.40085
9    86.11055              88.11055             84.11055
球面形状
R8面  R=-32.05119
R10面  R=1152.53756
R12面 R=13.00928
回転対称非球面
R6 面 R=51.72264   K=-46.02065   Ka=4.546719e-5   Kb=-3.866604e-7
Kc=1.186238e-9   Kd=-1.308330e-12
R7 面 R=46.22296   K=3.982696   Ka=-1.124396e-5   Kb=3.003893e-8
Kc=-2.715441e-10   Kd=2.756377e-13
R9 面 R=17.27861   K=-1.722440   Ka=2.618025e-5   Kb=6.669257e-8
Kc=-6.978004e-10   Kd=2.507706e-12
R11 面 R=-39.20234   K=-2.396376   Ka=4.7523e-5   Kb=-2.876936e-7
Kc=3.405174e-9   Kd=-1.672404e-11
回転非対称非球面
R3 面          C20=2.499993e-4  C02=1.790707e-4  C21=2.511595e-6  
C03=1.401773e-6 C40=-1.386645e-6 C22=-3.011698e-6
C04=-6.816373e-7  C41=3.604307e-9  C23=-7.288826e-8
C05=1.19996e-8  C60=2.976398e-9  C42=1.905747e-8
C24=2.008275e-8  C06=9.17267e-10  C61=2.65834e-10
C43=2.749422e-10  C25=5.046065e-10  C07=-6.591649e-11
C80=1.555253e-11  C62=-1.281137e-11  C44=-9.562353e-11
C26=-6.95484e-11  C08=7.093564e-12  C81=-1.831008e-12
C63=-9.985303e-13  C45=-5.390903e-13  C27=-1.40214e-12
C09=-1.422597e-13  C100=-6.056802e-14  C82=-2.522213e-14
C64=-2.826261e-14  C46=2.135804e-13  C28=-2.522213e-14
C010=-3.264704e-15
R5 面          C01=6.344061e-3  C20=-1.647021e-4  C02=-1.218379e-4
C21=-5.907142e-6  C03=-6.612354e-6  C40=1.673128e-5
C22=3.431042e-5  C04=1.60722e-5  C41=-2.939762e-8 
C23=2.033359e-7  C05=9.386942e-9  C60=-2.470501e-7
C42=-7.467386e-7  C24=-7.577923e-7  C06=-2.424514e-7
C61=2.233786e-10  C43=-5.609167e-10  C25=-1.187616e-9
C07=9.432386e-11  C80=6.014426e-10 C62=2.361449e-9  
C44=3.740348e-9  C26=2.471043e-9  C08=5.814591e-10
［実施例３］
以下、図ｘｘを参照して、本発明の第２の実施例による、・・・・・について説明する。
i         Yi        Zi      θi    Ndi        νdi
1      0.00000   0.00000    0.0    1                       焦点板マット面
2      0.00000  28.06630   17.7    1                       反射面
3    -12.56841  10.38082   62.7    1                       反射面
4     11.48799  10.38082   90.0    1                       絞り面
5     12.05946  10.38082   90.0    1.6490     21.0         第1レンズ
6     13.75946  10.38082   90.0    1
7   ※15.87800  10.38082   90.0    1.5311     56.2         第2レンズ
8   ※20.01413  10.38082   90.0    1
9     22.38200  10.38082   90.0    1.5311     56.2         第3レンズ
10    27.40345  10.38082   90.0    1
11    32.28787  10.38082   90.0    1.49171    57.4         第4レンズ
12    33.98787  10.38082   90.0    1
13    53.48777  10.38082   90.0    1                       アイポイント
14  ※86.11055  10.38082   90.0    1                       像面
※印は視度調節時に位置が変化する
視度調節時の位置(Yi)は以下の通り
i  -1ディオプトリー    +1ディオプトリー    -3ディオプトリー
7    15.86322              17.74520             14.25944
8    20.01858              21.88133             18.39557
9    86.11055              88.11055             84.11055
球面形状
R8面  R=-32.24858
R10面  R=3535.68152
R12面 R=13.00276
回転対称非球面
R6 面 R=51.31768   K=-45.86421   Ka=3.842813e-5   Kb=-3.571212e-7
Kc=1.185974e-9   Kd=-1.544201e-12
R7 面 R=45.48155   K=3.775768   Ka=-1.153626e-5   Kb=1.299806e-8
Kc=-1.440693e-10   Kd=3.44036e-15
R9 面 R=17.49157   K=-1.644012   Ka=2.380626e-5   Kb=8.661232e-8
Kc=-7.140005e-10   Kd=2.472698e-12
R11 面 R=-37.55997   K=-2.526165   Ka=4.463326e-5   Kb=-2.922047e-7
Kc=3.348687e-9   Kd=-1.647299e-11
回転非対称非球面
R3 面          C20=2.500029e-4  C02=1.012462e-4  C21=1.603665e-7
C03=1.051799e-6  C40=-1.293904e-6  C22=-2.521371e-6
C04=-5.867813e-7  C41=3.351167e-8  C23=-2.831791e-8
C05=3.922947e-9  C60=5.065861e-9  C42=1.812807e-8  
C24=1.616512e-8  C06=6.811511e-10  C61=-1.395850e-10
C43=-4.979655e-11  C25=6.884482e-11  C07=1.661975e-11
C80=-4.506006e-12  C62=-2.989442e-11  C44=-7.655838e-11
C26=-2.714634e-11  C08=7.685251e-12  C81=-1.284033e-13
C63=-9.295311e-13  C45=1.847637e-12  C27=-1.199981e-13
C09=-4.141029e-13
R5 面          C01=4.61215e-3  C20=-2.132116e-4  C02=-4.241307e-5
C21=-2.909178e-6  C03=-4.237959e-6  C04=9.072017e-6
C22=1.855861e-5  C04=8.387421e-6  C41=-4.898708e-8
C23=1.315947e-7  C05=8.952588e-9  C60=-2.093991e-7
C42=-6.288899e-7  C24=-6.385029e-7  C06=-2.037142e-7
C61=3.412007e-10  C43=-1.048452e-10  C25=-8.430115e-10
C07=6.198580e-11  C80=5.224847e-10  C62=2.036768e-9 
C44=3.228589e-9  C26=2.125122e-9  C08=4.973064e-10
［実施例４］
i         Yi        Zi      θi    Ndi        νdi
1      0.00000   0.00000    0.0    1                       焦点板マット面
2      0.00000  28.06630   17.7    1                       反射面
3    -12.56841  10.38082   62.7    1                       反射面
4     11.48799  10.38082   90.0    1                       絞り面
5     12.13016  10.38082   90.0    1.6490     21.0         第1レンズ
6     13.83016  10.38082   90.0    1
7   ※15.92308  10.38082   90.0    1.5311     56.2         第2レンズ
8   ※19.91763  10.38082   90.0    1
9     22.24710  10.38082   90.0    1.5311     56.2         第3レンズ
10    27.90166  10.38082   90.0    1
11    32.28786  10.38082   90.0    1.49171    57.4         第4レンズ
12    33.98787  10.38082   90.0    1
13    53.48777  10.38082   90.0    1                       アイポイント
14  ※86.11055  10.38082   90.0    1                       像面
※印は視度調節時に位置が変化する
視度調節時の位置(Yi)は以下の通り
i  -1ディオプトリー    +1ディオプトリー    -3ディオプトリー
7    15.86322              17.75224             14.33019
8    20.01858              21.74679             18.32474
9    86.11055              88.11055             84.11055
球面形状
R8面  R=-32.70227
R10面  R=-13288.07908
R12面 R=12.99378
回転対称非球面
R6 面 R=50.66148   K=-50.84577   Ka=3.378894e-5   Kb=-3.283299e-7
Kc=1.055225e-9   Kd=-1.455744e-12
R7 面 R=44.0935   K=3.942689   Ka=-1.307750e-5   Kb=3.284671e-9
Kc=-8.772248e-11   Kd=-1.1286e-13
R9 面 R=17.2979   K=-1.653083   Ka=2.333472e-5   Kb=1.596369e-7
Kc=-1.204132e-9   Kd=4.238017e-12
R11 面 R=-36.52691   K=-6.328414   Ka=2.990806e-5   Kb=-2.713014e-7
Kc=3.093013e-9   Kd=-1.547890e-11
回転非対称非球面
R3 面          C20=2.00012e-4  C02=8.7977e-5  C21=-3.709375e-7 
C03=5.608467e-7  C40=-1.036823e-6  C22=-1.662553e-6
C04=-6.334943e-7  C41=2.367953e-8  C23=2.997042e-8
C04=-6.334943e-7  C60=5.660119e-9  C42=1.406078e-8
C24=1.257516e-8  C06=3.825087e-9  C61=-1.661509e-10
C43=-5.106355e-10  C25=-3.015569e-10  C07=-1.539877e-10
C80=-2.353482e-12  C62=-3.424106e-11  C44=-3.131424e-11
C26=-1.496124e-11  C08=-6.957926e-12  C81=-1.157329e-13
C63=1.196599e-12  C45=3.541848e-12  C27=3.406763e-13
C09=6.461904e-13
R5 面          C01=5.216692e-3  C20=-3.458141e-4  C02=-1.452945e-4
C21=-2.476479e-6  C03=-3.348619e-6  C40=1.285185e-6
C22=2.006413e-6  C04=6.376067e-7  C41=-1.194951e-8
C23=-3.72015e-9  C05=2.232656e-8  C60=-1.616358e-7
C42=-4.801844e-7  C24=-4.781417e-7  C06=-1.562732e-7
C61=2.091857e-10  C43=2.450069e-10  C25=3.547439e-12
C07=-8.587688e-11  C80=3.336929e-10  C62=1.369595e-9
C44=1.978531e-9  C26=1.322187e-9  C08=3.172917e-10
［実施例５］
i         Yi        Zi      θi    Ndi        νdi
1      0.00000   0.00000    0.0    1                       焦点板マット面
2      0.00000  28.06630   17.7    1                       反射面
3    -12.56841  10.38082   62.7    1                       反射面
4     11.48799  10.38082   90.0    1                       絞り面
5     11.98734  10.38082   90.0    1.6320     23.0         第1レンズ
6     13.68734  10.38082   90.0    1
7   ※15.77547  10.38082   90.0    1.5311     56.2         第2レンズ
8   ※19.64252  10.38082   90.0    1
9     21.91087  10.38082   90.0    1.5311     56.2         第3レンズ
10    26.81199  10.38082   90.0    1
11    32.28650  10.38082   90.0    1.49171    57.4         第4レンズ
12    33.98650  10.38082   90.0    1
13    53.48650  10.38082   90.0    1                       アイポイント
14  ※86.10928  10.38082   90.0    1                       像面
※印は視度調節時に位置が変化する
視度調節時の位置(Yi)は以下の通り
i  -1ディオプトリー    +1ディオプトリー    -3ディオプトリー
7    15.86322              17.54390             14.18734
8    20.01858              21.41095             18.05440
9    86.10928              88.10928             84.10928
球面形状
R8面  R=-40.15487
R10面  R=-282.63236
R12面 R=12.77155
回転対称非球面
R6 面 R=52.20479   K=-54.80143   Ka=3.353177e-5   Kb=-2.201590e-7
Kc=1.060818e-9   Kd=-2.423597e-12
R7 面 R=47.53122   K=5.776757   Ka=-5.775250e-6   Kb=-9.311775e-8
Kc=6.594226e-10   Kd=-2.040026e-12
R9 面 R=16.79156   K=-9.52169e-1   Ka=-8.998906e-7   Kb=2.498439e-7
Kc=-1.804073e-9   Kd=4.836024e-12
R11 面 R=-41.88709   K=-71.9626   Ka=-6.930622e-5   Kb=1.009066e-6
Kc=-6.280349e-9   Kd=1.540139e-11
回転非対称非球面
R3 面          C20=1.0627e-5  C02=1.474e-4  C21=4.289273e-6 
C03=2.732924e-6  C40=1.85612e-8  C22=2.372123e-8
C04=5.173134e-10  C41=-5.840514e-9  C23=-1.400744e-8
C05=1.273029e-8  C60=5.14266e-10  C42=-5.676479e-12
C24=1.833438e-9  C06=1.815748e-11  C61=9.424066e-14
C43=9.274599e-11  C25=-8.762538e-13  C07=-5.634275e-11
C80=-7.558499e-14  C62=-1.077865e-13  C44=8.021282e-14
C26=-5.262396e-12  C08=1.294815e-12
R5 面          C01=1.697228e-2  C20=-1.109303e-4  C02=-3.235008e-4
C21=-6.048138e-6  C03=-6.10831e-6  C40=-6.858855e-7
C22=-2.034248e-6  C04=-1.083268e-6  C41=8.476538e-9
C23=2.363444e-8  C05=-2.999163e-8  C60=-4.613545e-9
C42=-2.817092e-9  C24=-3.601551e-9  C06=-5.614956e-10
C61=1.645287e-14  C43=-2.408247e-10  C25=-6.357645e-11
C07=1.288986e-10  C80=-2.774672e-12  C62=-4.693845e-11
C44=-1.061613e-10  C26=-4.504174e-11  C08=-1.629936e-11
C45=1.094398e-12
以下に各実施例における条件式（１）〜（４）の数値を示す。
【００４１】
【表１】
2014041199.tif 000003
以上、本発明の好ましい実施形態について説明したが、本発明はこれらの実施形態に限定されず、その要旨の範囲内で種々の変形及び変更が可能である。
【００４２】
本発明は、ファインダー光学系に関し、特に一眼レフカメラ等に好適なファインダー光学系に関するものである。
【符号の説明】
【００４３】
１  撮影レンズ
２  クイックリターンミラー
３  焦点板（フレネルレンズ）
４  焦点板（マット面）
５  屋根型形状の第１、第２の反射鏡
６  第３の反射鏡
７  接眼レンズ
８  アイポイント
【図１】
2014041199.tif 000004
【図２】
2014041199.tif 000005
【図３】
2014041199.tif 000006
【図４】
2014041199.tif 000007
【図５】
2014041199.tif 000008
【図６】
2014041199.tif 000009
【図７】
2014041199.tif 000010
【図８】
2014041199.tif 000011
【図９】
2014041199.tif 000012
【図１０】
2014041199.tif 000013
【図１１】
2014041199.tif 000014
【図１２】
2014041199.tif 000015